(57)【要約】【課題】スイッチ操作時の押圧による基板の撓みが表示体に伝わることを抑制することができ、表示体の歪みやにじみを抑制することが可能な操作装置を提供すること。【解決手段】対象機器を操作するための操作装置であって、表示体と、押圧に応じて動作する少なくとも１つの操作素子と、前記表示体が一方の主面に固着部材を用いて固着され、前記操作素子が前記主面上に配置された基板と、前記基板の前記主面側の少なくとも一部を覆い、かつ、前記基板の固定部において前記基板を固定するケースとを備え、前記固着部材は、前記押圧による前記基板の撓みが生じる撓み部分には配置されず、前記固定部で前記ケースに固定されることにより前記押圧による前記基板の撓みが生じない部分の少なくとも一部に配置されることを特徴とする、操作装置。【選択図】図８
2015103711.tif 000002
【特許請求の範囲】
【請求項１】
対象機器を操作するための操作装置であって、
表示体と、
押圧に応じて動作する少なくとも１つの操作素子と、
前記表示体が一方の主面に固着部材を用いて固着され、前記操作素子が前記主面上に配置された基板と、
前記基板の前記主面側の少なくとも一部を覆い、かつ、前記基板の固定部において前記基板を固定するケースとを備え、
前記固着部材は、前記押圧による前記基板の撓みが生じる撓み部分には配置されず、前記固定部で前記ケースに固定されることにより前記押圧による前記基板の撓みが生じない部分の少なくとも一部に配置されることを特徴とする、操作装置。
【請求項２】
前記表示体の形状は矩形状であり、前記表示体の一辺である第１辺側に前記操作素子が配置されている、請求項１に記載の操作装置。
【請求項３】
前記固着部材は、前記表示体の前記第１辺に対向する第２辺と、前記固定部と前記第２辺の両端点とを結ぶ２つの線分によって囲まれる領域である第１の固着領域の少なくとも一部に配置され、該第１の固着領域以外の領域には配置されない、請求項２に記載の操作装置。
【請求項４】
前記固着部材は、前記固定部と、前記表示体の前記第１辺に対向する第２辺とを最短距離で結ぶ線分に対して、該線分上と該線分の近傍とからなる領域である第２の固着領域の少なくとも一部に配置され、該第２の固着領域以外の領域には配置されない、請求項２に記載の操作装置。
【請求項５】
前記第１辺と平行な方向における前記第２の固着領域の幅は、前記第１辺と平行な方向における前記表示体の幅の４分の１以下である、請求項４に記載の操作装置。
【請求項６】
前記固定部は、前記表示体の前記第１辺に対向する第２辺側に配置され、
前記固着部材は、前記第１辺よりも前記第２辺に近接する領域である第３の固着領域の少なくとも一部に配置され、該第３の固着領域以外の領域には配置されない、請求項２に記載の操作装置。
【請求項７】
前記領域は、前記表示体の前記第２辺から、前記表示体の前記第１辺と前記第２辺との間の距離の４分の１以下の長さまでの領域である、請求項６に記載の操作装置。
【請求項８】
前記基板は樹脂材料からなる、請求項１〜７のいずれか１項に記載の操作装置。
【発明の詳細な説明】
【技術分野】
【０００１】
本発明は、操作装置に関し、特に、対象機器を操作するための操作装置に関する。
【背景技術】
【０００２】
床暖房のリモコン装置などの壁面に設置されるリモコン装置は、デザイン向上のための薄型化が求められている。そのため、リモコン装置の裏面部分の外装ケース（背面ケース）を備えないものがある。背面ケースを備えないリモコン装置は、たとえば特開２００８−１８７０６９号公報（特許文献１）に開示されている。このようなリモコン装置において、液晶表示画面や操作素子を備える基板は、ケース前面部の背面側にビス等で部分的に固定されていた。
【先行技術文献】
【特許文献】
【０００３】
【特許文献１】特開２００８−１８７０６９号公報
【発明の概要】
【発明が解決しようとする課題】
【０００４】
特許文献１に開示されるような背面ケースを備えていない操作装置に対してスイッチ操作のための押圧を行うと、操作装置の裏面からの支えがないため、ケースにビスで固定された基板部分を除き、操作素子が実装されている基板が撓む状態となっていた。そして、操作装置には液晶表示画面等の表示体が取り付けられているが、この表示体は基板に両面テープで固定されているため、スイッチ操作を行ったときの基板の撓みが両面テープによって表示体に伝わり、表示体が歪んで、表示体ににじみが発生するといった問題点があった。
【０００５】
本発明は上記の課題に鑑みてなされたものであって、その目的は、スイッチ操作時の押圧による基板の撓みが表示体に伝わることを抑制することができ、表示体の歪みやにじみを抑制することが可能な操作装置を提供することである。
【課題を解決するための手段】
【０００６】
本発明の操作装置は、対象機器を操作するための操作装置であって、表示体、押圧に応じて動作する操作素子、基板およびケースを備える。基板の一方の主面には表示体が固着部材を用いて固着され、同じ主面上に操作素子が配置されている。ケースは、該基板の上記主面の少なくとも一部を覆っており、かつ、基板の固定部において基板を固定している。そして、固着部材は、押圧による基板の撓みが生じる撓み部分には配置されず、固定部でケースに固定されることにより押圧による基板の撓みが生じない部分の少なくとも一部に配置される。このように、基板の撓み部分に固着部材が配置されていないため、スイッチ操作時の押圧による基板の撓みが表示体に伝わることを抑制できる。これにより、表示体の歪みやにじみを抑制することができる。
【０００７】
上記の操作装置において、表示体の形状は矩形状であり、表示体の一辺である第１辺側に操作素子が配置されていることが好ましい。このような形態は、汎用されている操作装置の形態であり、適用範囲が広い。
【０００８】
上記の操作装置において、固着部材は、表示体の第１辺に対向する第２辺と、固定部と第２辺の両端点とを結ぶ２つの線分によって囲まれる領域である第１の固着領域の少なくとも一部に配置され、該第１の固着領域以外の領域には配置されないことが好ましい。この場合、簡易な固着部材の配置設計により、容易に、操作素子への押圧力によって生じた基板の撓みが表示体へ伝わることを抑制することができる。
【０００９】
上記の操作装置において、固着部材は、固定部と、表示体の第１辺に対向する第２辺とを最短距離で結ぶ線分に対して、該線分上と該線分の近傍とからなる領域である第２の固着領域の少なくとも一部に配置され、該第２の固着領域以外の領域には配置されないことが好ましい。この場合、簡易な固着部材の配置設計により、容易に、操作素子への押圧力によって生じた基板の撓みが表示体へ伝わることを抑制することができる。
【００１０】
上記の操作装置において、第１辺と平行な方向における第２の固着領域の幅は、第１辺と平行な方向における表示体の幅の４分の１以下であることが好ましい。この場合、簡易な固着部材の配置設計により、容易かつ確実に、操作素子への押圧力によって生じた基板の撓みが表示体へ伝わることを抑制することができる。
【００１１】
上記の操作装置において、固定部は、表示体の第１辺に対向する第２辺側に配置され、固着部材は、第１辺よりも第２辺に近接する領域である第３の固着領域の少なくとも一部に配置され、該第３の固着領域以外の領域には配置されないことが好ましい。この場合、簡易な固着部材の配置設計により、容易に、操作素子への押圧力によって生じた基板の撓みが表示体へ伝わることを抑制することができる。
【００１２】
上記の操作装置において、上記第３の固着領域は、表示体の第２辺から、表示体の第１辺と第２辺との間の距離の４分の１以下の長さまでの領域であることが好ましい。この場合、簡易な固着部材の配置設計により、容易かつ確実に、操作素子への押圧力によって生じた基板の撓みが表示体へ伝わることを抑制することができる。
【００１３】
上記の操作装置において、基板が樹脂材料からなる場合は、基板が操作素子の押圧によって撓み易いため、本発明の操作装置を好適に使用することができる。
【発明の効果】
【００１４】
本発明の操作装置によれば、スイッチ操作時の押圧による基板の撓みが表示体に伝わることを抑制することができ、表示体の歪みやにじみを抑制することができる。
【図面の簡単な説明】
【００１５】
【図１】本発明の実施形態１における操作装置の構成を概略的に示す斜視図である。
【図２】本発明の実施形態１における操作装置のカバーを開けた状態を概略的に示す斜視図である。
【図３】本発明の実施形態１における操作装置の構成を正面側から概略的に示す分解斜視図である。
【図４】本発明の実施形態１における操作装置の構成を背面側から概略的に示す分解斜視図である。
【図５】本発明の実施形態１における操作装置のケースの構成を背面側から概略的に示す斜視図である。
【図６】本発明の実施形態１における操作装置の基板の構成を背面側から概略的に示す斜視図である。
【図７】本発明の実施形態１における操作装置のケースに基板が収容された状態を概略的に示す斜視図である。
【図８】本発明の実施形態１における操作装置の基板上の固着部材の配置を正面側から概略的に示す平面図である。
【図９】本発明の実施形態２における操作装置の基板上の固着部材の配置を正面側から概略的に示す平面図である。
【図１０】本発明の実施形態３における操作装置の基板上の固着部材の配置を正面側から概略的に示す平面図である。
【図１１】比較例における操作装置のケースに基板が収容された状態を概略的に示す断面図である。
【発明を実施するための形態】
【００１６】
以下、本発明の実施形態について図面を参照して説明する。なお、図面において、同一の参照符号は、同一部分または相当部分を表すものである。
【００１７】
（実施形態１）
本実施形態の操作装置は、好ましくは、遠隔操作用の装置（リモコン装置）である。ただし、ガスファンヒータの操作パネル等の近接操作（直接的操作）用の装置も含まれる。操作装置による操作の対象となる機器は、特に限定されないが、例えば、床暖房、浴室暖房などの暖房器具、台所用、浴室用などの給湯器が挙げられる。
【００１８】
本実施形態の操作装置は、例えば、室内の壁面に取り付けられて、対象機器の制御装置と電装線で接続された状態で使用される。つまり、操作装置は電装線と電気的に接続可能であり、電装線によって対象機器と電気的に接続可能である。
【００１９】
特に、暖房器具用のリモコン装置は、壁面からの厚みが薄い他のコンセントパネルと近い位置に並べて設置される場合が多いため、コンセントパネルとの統一感を出すために薄型であることが望ましい。したがって、本実施形態の操作装置は、暖房器具用のリモコン装置として好適に使用されるが、これに限定されず、給湯器用のリモコン装置などとしても使用できる。
【００２０】
図１〜図４を参照して、本発明の一実施形態の操作装置は、ケース１、カバー２、透明部材３１、操作ボタン４１、基板５、表示体３２、操作素子４２、コネクタ６と、回路素子７および絶縁シート８を主に有している。
【００２１】
操作装置の幅方向におけるケース１の一方端部には、カバー２の一方端部が軸回りに開閉可能に連結されている。ケース１およびカバー２は、たとえばＡＢＳ樹脂などの樹脂材料によって形成されている。ケース１の表面側に、透明部材３１と操作ボタン４１とが配置されている（図２）。図１に示すように、カバー２が閉じた状態では、透明部材３１と操作ボタン４１とはカバー２によって覆われている。カバー２が開いた状態で、透明部材３１と操作ボタン４１とがカバー２の内側から現れる（図２）。なお、カバー２に覆われていない一部の操作ボタン４１ａについては、カバーが閉じた状態でも操作することが可能である。このように、本実施形態における操作装置は、ユーザが押圧する操作ボタン４１，４１ａを有している。
【００２２】
ケース１の内側（前面部の背面側）には、基板５、絶縁シート８および取付板９がこの順で取り付けられている。基板５は互いに対向する第１面５ａと第２面５ｂとを有しており、操作装置の前面側に第１面５ａが配置され、操作装置の背面側に第２面５ｂが配置されている。基板５の形状は、特に限定されないが、汎用性の面からは矩形状であることが好ましい。
【００２３】
基板５の第１面５ａには、表示体３２および操作素子４２が配置されている（図３）。
表示体３２は、対象機器の操作のために必要な情報を表示できるものであれば特に限定されないが、例えば、表示体３２に撓みが生じたときににじみ等の不具合が生じるような表示体であり、具体的には、液晶表示画面などが挙げられる。表示体の形状は、特に限定されないが、汎用性の面からは矩形状であることが好ましい。なお、本明細書において、「矩形状」とは、必ずしも完全な矩形である必要はなく、矩形に部分的な変形が加えられた形状も含み得る概念を意味する。したがって、後述する第１辺および第２辺も、必ずしも完全な辺である必要はない。
【００２４】
表示体３２は基板の配線と（例えば、表示体３２の操作素子４２と反対側の端部に並設された複数のピンなどによって、）電気的に接続されている。ただし、それ以外にも表示体の固定のために、表示体の裏面（表示面と反対側の面）側の一部が、固着部材を用いて基板に固着されている。固着部材としては、例えば、粘着性部材（両面テープなど）、接着性部材が挙げられる。表示体の基板への固着は、例えば、粘着性部材または接着性部材を用いた貼着により実施される。
【００２５】
操作素子４２は、ケース１の操作ボタン４１，４１ａの押圧に応じて動作する電子部品である。
【００２６】
一方、基板５の第２面５ｂには、コネクタ６および回路素子７が実装されている（図４）。コネクタ６は、例えば、暖房器具、給湯器などの対象機器の制御装置に接続された電装線と接続される。また、図では、回路素子７として電解コンデンサのみが描かれているが、基板５に実装される回路素子は、ＩＣ（集積回路）などであってもよい。
【００２７】
絶縁シート８は、絶縁性を有する材料でシート状に形成されている。絶縁性を有する材料としては、例えば、ポリエチレン樹脂などの樹脂材料が挙げられる。絶縁シート８は、可撓性を有する材料によって形成されている。絶縁シート８は、コネクタ６を透視しながら電装線を挿抜するために透明または半透明の樹脂材料で形成されていることが好ましい。絶縁シート８は、コネクタ６の挿し込み口の手前近傍に相当する個所に、電装線の先端の挿入部を挿入する開口部を形成するための舌片部８ａを有している。
【００２８】
取付板９は、板状に形成されており、たとえば鋼によって形成されている。取付板９は中央に開口部９ａを有している。この開口部９ａを覆うように絶縁シート８がケース１に取り付けられており、この状態で絶縁シート８の舌片部８ａによって形成された開口部を通って電装線がコネクタ６に接続される。この取付板９は室内の壁面にねじなどによって取り付けられる。そして、取付板９が壁面に取り付けられた後に、取付板９にケース１を装着することによって、操作装置が室内の壁面に取り付けられる。
【００２９】
図５を参照して、ケース１の構成についてさらに詳しく説明する。ケース１は、前面部１ａと、側面部１ｂとを主に有している。前面部１ａは、操作装置の前面を構成する部材である。前面部１ａは板状に形成されている。前面部１ａは、透明部材３１および操作ボタン４１を有している。側面部１ｂは操作装置の側面を構成する部材である。側面部１ｂは前面部１ａの外周端部に配置されており、操作装置の背面側に延びるように形成されている。前面部１ａと側面部１ｂとで取り囲まれた領域がケース１の内部空間を構成している。
【００３０】
次に、図６を参照して、基板５の構成についてさらに詳しく説明する。基板５の第２面５ｂには、コネクタ６が実装されている。各コネクタ６は、たとえば対象機器の制御装置に接続された電装線と接続される。各コネクタ６は第１面５ａに沿う方向に電装線を抜き挿し可能に構成されている。つまり、各コネクタ６の挿し込み口は第１面５ａに沿う方向に開口している。また、基板５は複数のビス孔５２を有している。
【００３１】
次に、図７を参照して、ケース１に基板５が収容された状態について説明する。この状態では、ケース１の内部空間に基板５が取り付けられている。図７に示すように、ビス孔５２（図６参照）を通して、ビス５３をケース１のビス受け部１ｃ（図５参照）にねじ込むことにより、基板５とケース１とが締結されている。
【００３２】
次に、図８を参照して、操作装置の基板上の固着部材の配置について詳細に説明する。基板５の一方の主面（第１主面）には表示体３２が固着され、同じ主面上に操作素子４２が配置されている。そして、表示体３２は基板５に固着部材３３を用いて固着されている。なお、固着部材３３の配置が分かりやすいように、表示体３２の輪郭は破線で示している。
【００３３】
ここで、固着部材３３は、押圧による基板の撓みが生じる撓み部分には配置されず、固定部でケースに固定されることにより押圧による基板の撓みが生じない部分の少なくとも一部に配置されている。このように、基板の撓み部分に固着部材が配置されていないため、スイッチ操作時の押圧による基板の撓みが表示体に伝わることを抑制できる。これにより、表示体の歪みやにじみを抑制することができる。
【００３４】
基板の「撓み部分」は、例えば、押圧の押圧力が約１３Ｎである場合の基板の撓みによる位置変化量が約０．２ｍｍ以上となる部分であり、「撓みが生じない部分」は、押圧の押圧力が１３Ｎである場合の基板の撓みによる位置変化量が約０．２ｍｍ未満となる部分であることが好ましい。このような特定の撓み部分に固着部材を配置しないことにより、スイッチ操作時の押圧による基板の撓みが表示体に伝わることをより確実に抑制できる。
【００３５】
本実施形態では、表示体３２の形状は矩形状であり、表示体３２の一辺である第１辺３２ａ側に操作素子４２が配置されている。
【００３６】
そして、固着部材３３は、表示体３２の第１辺３２ａに対向する第２辺３２ｂと、ビス孔（固定部）５２と第２辺３２ｂの両端点とを結ぶ２つの線分１００によって囲まれる領域（第１の固着領域）に配置され、第１の固着領域以外の領域には配置されていない。第１の固着領域は、固定部５２と操作素子４２との位置関係から、上述の「撓みが生じない部分」に相当すると考えられる。なお、固着部材は、第１の固着領域の少なくとも一部に配置されていればよく、第１の固着領域の全体に配置される必要はない。このような領域を目安とすることで、簡易な固着部材の配置設計により、容易に、操作素子への押圧力によって生じた基板の撓みが表示体へ伝わることを抑制することができる。
【００３７】
次に、本実施形態における操作装置の作用効果について比較例と対比して説明する。図１１は、比較例における操作装置のケースに基板が収容された状態を概略的に示す断面図である。
【００３８】
図１１に示す操作装置は、背面ケースを備えておらず、表示体３２、操作素子４２などを備える基板５は、ケース１の前面部の背面側にビス５３によって固定されている。表示体３２の基板５側のほぼ全面は、固着部材（両面テープ）３３で基板５の一方の主面に貼着され、ケース１の透明部材３１に対応する位置に設置されている。また、基板５の同じ主面に設けられた少なくとも１つの操作素子４２が設けられている。
【００３９】
このような比較例の操作装置において、操作ボタン４１を押圧することにより、操作素子４２が押圧されると、操作素子４２の裏面には支えがないため、ケース１にビス５３で固定された固定部を除き、基板５に撓みが生じる。そして、表示体３２のほぼ全面が基板５に固着部材３３で固定されているため、スイッチ操作によって生じた基板５の撓みが表示体に伝わり、表示体が歪んで、表示体ににじみが発生してしまう。
【００４０】
これに対して、本実施形態の操作装置によれば、固着部材が押圧による基板の撓みが生じる部分（撓み部分）には配置されないため、操作素子への押圧力による基板の撓みが表示体に伝わることを抑制できる。これにより、表示体の歪みやにじみを抑制することができる。また、表示体に歪み防止用ガイドなど別途の部材を設けることなく、固着部材の使用量を減らすことができるため、コストをかけずに表示体の歪みおよびにじみを抑制することができる。
【００４１】
（実施形態２）
図９に、実施形態２における操作装置の基板上の固着部材の配置を示す。図９を参照して、本実施形態の操作装置は、固着部材が、固定部（ビス孔）５２と、表示体３２の第１辺３２ａに対向する第２辺３２ｂとを最短距離で結ぶ線分１０１に対して、該線分１０１上と該線分１０１の近傍とからなる領域（第２の固着領域）に配置され、第２の固着領域以外の領域には配置されない点で、実施形態１とは異なる。それ以外の点は、実施形態１と同様である。
【００４２】
第２の固着領域は、固定部５２と操作素子４２との位置関係から、上述の「撓みが生じない部分」に相当すると考えられる。なお、固着部材は、第２の固着領域の少なくとも一部に配置されていればよく、第２の固着領域の全体に配置される必要はない。このような領域を目安とすることで、簡易な固着部材の配置設計により、容易に、操作素子への押圧力によって生じた基板の撓みが表示体へ伝わることを抑制することができる。
【００４３】
本実施形態において、第１辺３２ａと平行な方向における第２の固着領域の幅ａは、第１辺３２ａと平行な方向における表示体３２の幅ｂの４分の１以下であることが好ましい。この場合、簡易な固着部材の配置設計により、容易かつ確実に、操作素子への押圧力によって生じた基板の撓みが表示体へ伝わることを抑制することができる。
【００４４】
なお、本実施形態の操作装置について、表示体の幅ｂ（９．７ｃｍ）に対する第２の固着領域の幅（両面テープの幅）ａの比率を２分の１〜２０分の１の範囲内で変化させて、ケース１の操作ボタン４１（図２の上下３列の操作ボタン４１のうち、一番上の列の操作ボタン４１を１個ずつ全て押圧する）を１３Ｎの力で押圧したときの液晶表示画面（表示体３２）のにじみの発生の有無を目視で確認する試験を行った。その結果、ｂに対するａの比率が、２分の１〜３分の１である場合は、押圧したときに液晶表示画面ににじみの発生が観察された。一方、４分の１〜２０分の１の場合は、にじみの発生は観察されなかった。なお、図９では、操作素子４２について省略して記載しているが、上記試験では、図２の操作ボタン４１と対応する位置の操作素子４２が設けられた基板５を備える操作装置を用いた。
【００４５】
（実施形態３）
図１０に、実施形態３における操作装置の基板上の固着部材の配置を示す。図１０を参照して、本実施形態の操作装置は、固定部５２が表示体３２の第１辺３２ａに対向する第２辺３２ｂ側に配置され、固着部材３３が、第１辺３２ａよりも第２辺３２ｂに近接する領域（第３の固着領域）に配置され、第３の固着領域以外の領域には配置されない点で、実施形態１とは異なる。それ以外の点は、実施形態１と同様である。
【００４６】
第３の固着領域は、固定部５２と操作素子４２との位置関係から、上述の「撓みが生じない部分」に相当すると考えられる。なお、固着部材は、第３の固着領域の少なくとも一部に配置されていればよく、第３の固着領域の全体に配置される必要はない。このような領域を目安とすることで、簡易な固着部材の配置設計により、容易に、操作素子への押圧力によって生じた基板の撓みが表示体へ伝わることを抑制することができる。また、第２辺３２ｂに並設されたピンによって、表示部と基板の配線が接続されている場合、ピンの曲がりや折れを抑制することができる。
【００４７】
本実施形態において、第３の固着領域は、表示体３２の第２辺３２ｂから、表示体３２の第１辺３２ａと第２辺３２ｂとの間の距離の４分の１以下の長さまでの領域であることが好ましい。この場合、簡易な固着部材の配置設計により、容易かつ確実に、操作素子への押圧力によって生じた基板の撓みが表示体へ伝わることを抑制することができる。
【００４８】
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４９】
１  ケース、１ａ  前面部、１ｂ  側面部、１ｃ  ビス受け部、２  カバー、３１  透明部材、３２  表示体、３３  固着部材、４１，４１ａ  操作ボタン、４２  操作素子、５  基板、５ａ  第１面、５ｂ  第２面、５２  固定部（ビス孔）、５３  ビス、６  コネクタ、７  回路素子、８  絶縁シート、８ａ  舌片部、９  取付板、９ａ  開口部、１００，１０１  線分。
【図１】
2015103711.tif 000003
【図２】
2015103711.tif 000004
【図３】
2015103711.tif 000005
【図４】
2015103711.tif 000006
【図５】
2015103711.tif 000007
【図６】
2015103711.tif 000008
【図７】
2015103711.tif 000009
【図８】
2015103711.tif 000010
【図９】
2015103711.tif 000011
【図１０】
2015103711.tif 000012
【図１１】
2015103711.tif 000013